(57)【要約】【課題】出来るだけ少ない数のスペーサーを用いて液晶パネルのセルギャップの均一性や外力に対する耐性を高めると共に、パネルの製造にかかる費用を低く抑え、低価格で高品質な液晶パネルの提供を実現する。【解決手段】一対の基板間に複数のスペーサー３と、複数の電極とを備えた液晶パネルであって、各々のスペーサー３は、一辺の長さが距離ｄである略正三角形における頂点の位置に設けられ、かつ一つの電極上に、スペーサー３が複数個配置されていることを特徴とする。また、電極はセグメント型の電極、あるいはマトリクス型に配置された電極であることを特徴とする。【選択図】図１
2008076927.tif 000002
【特許請求の範囲】
【請求項１】
一対の基板間に少なくとも一つの画素と複数のスペーサーとを備えた液晶パネルであって、
各々の前記スペーサーは、一辺の長さが距離ｄである略正三角形における頂点の位置に設けられ、前記一つの画素内に、前記スペーサーが複数個配置されていることを特徴とする液晶パネル。
【請求項２】
前記画素はセグメント型であることを特徴とする請求項１に記載の液晶パネル。
【請求項３】
前記画素は複数個あり、前記基板上にマトリックス型に配置していることを特徴とする請求項１に記載の液晶パネル。
【請求項４】
前記スペーサーの大きさが２０ｕｍ四方以下であることを特徴とする請求項１に記載の液晶パネル。
【請求項５】
前記距離ｄが２００ｕｍ以下であることを特徴とする請求項１に記載の液晶パネル。
【請求項６】
前記液晶が強誘電性を示す液晶であることを特徴とする請求項１に記載の液晶パネル。
【請求項７】
前記基板が可撓性を有することを特徴とする請求項１に記載の液晶パネル。
【発明の詳細な説明】
【技術分野】
【０００１】
本発明は液晶パネルに関し、更に詳しくは固定スペーサーを用いる液晶パネルに関する。
【背景技術】
【０００２】
近年、液晶を用いた装置の利用が様々な分野で進んでいる。普及が非常に進んでいる表示装置としての他、近年では光ディスク、通信、プリンター等様々な分野での光学素子としての応用が進められている。また、特に表示用としては、大画面テレビの様な大型の物からプロジェクター用光変調装置の様な非常に小型の物まで、様々な大きさ、形態の物が利用されており、非常に幅広い分野で用いられている。
【０００３】
これらの液晶装置では、通常、基板と基板との間にスペーサーと接着剤を設け、両基板を所定の距離だけ離間させた構造の液晶パネルを用いている。スペーサーは両基板が近づく事を防ぎ、接着剤は両基板が離れる事を防ぐ事により、両基板間の距離を所定の大きさに保っている。この両基板間の距離は特にセルギャップと呼ばれる。接着剤はパネルの外周付近に設ける事により、両基板を接着する用途の他、液晶材料をパネル内に封じる用途にも用いるため、特にシール剤と呼ばれている。こうして一対の基板とシール剤とに囲まれた空間に液晶材料が設けられ液晶パネルが形成されている。
【０００４】
スペーサーとしては、プラスチックやシリカを材質とした球状のボールスペーサーがこれまで広く用いられてきた。また、近年ではフォトリソブラフィーの工法を用いてパネル内の任意の場所に固定スペーサーを設ける事が可能なフォトスペーサーも用いられている。フォトスペーサーについては、感光性高分子材料を用いてスペーサーを基板上に形成する方法が普及している。
【０００５】
ボールスペーサーを用いる従来技術のパネルについて、図６を参照しながら説明する。図６はボールスペーサーを用いる従来技術のパネルを模式的に描いた概略断面図である。第１の基板１と第２の基板２との間に接着剤６及びボールスペーサー７が設けられ、パネルが形成されている。図示しないが、第１の基板１と第２の基板２との間の空隙に液晶材料を設ける事により液晶パネルが作られる。また、図示しないが、一般的には、液晶に電圧を印加するための電極と液晶の配向を制御するための配向膜とが、第１基板１と第２の基板２とのパネル内側の表面に設けられる事が多い。
【０００６】
スペーサーは光の散乱や液晶の配向を乱す要因となるため、パネル内にスペーサーを設ける事は、液晶装置の光学特性の向上の観点からは好ましくない。しかし、セルギャップの均一性や外力に対する耐性を高めるためには、パネルの大きさや基板の剛性にもよるが、スペーサーを設ける事が必要とされる。
【０００７】
セルギャップの不均一性は基板がたわむ事によって生じる。このため、例えば薄いガラス基板やプラスチック基板の様な剛性の低い可撓性を有する基板を用いる場合には、均一なセルギャップを得る事が一層難しい。また、例えばペンや指等で押す等してパネルに外力が加わると基板がたわみ、スペーサーが移動してしまい、液晶パネル内でギャップむらが生じて、表示品質を損なうことがあった。特に現在主流のネマチック液晶を用いる液晶パネルではパネルを通過する光の状態が所望する状態とは異なるものになってしまう問題も生じた。また、例えばコレステリック液晶を用いる選択反射モードやスメクチック液晶を用いる表面安定化強誘電性液晶モードの液晶パネルでは、外力が加わり基板が変形する事によって液晶の配向状態が乱れ、そのままでは戻らない事が知られている。選択反射モ
ードの場合には、電圧を印加する事によって機能が回復する事が知られているが、表面安定化強誘電性液晶モードでは加熱により液晶材料を一旦等方相にした後冷却して液晶相に戻し再配向させる事が必要な事が知られている。このため、表面安定化強誘電性液晶モードの液晶パネルの場合には、パネルの外力に対する耐性を高める事が実用化にあたり特に重要である。
【０００８】
スペーサーによる光学特性への悪影響を出来るだけ小さくするため、最近ではフォトリソグラフィーの工法を用いて任意の位置に配置する事が可能なフォトスペーサーの利用が進んでおり、スペーサーを非画素領域に選択的に配置する事が行われている。
【０００９】
フォトスペーサーを非画素領域に選択的に配置する従来技術のパネルについて、図７を参照しながら説明する。図７は、フォトスペーサーを非画素領域に選択的に配置する従来技術のパネルの一部分を模式的に描いた概略平面図である。
【００１０】
第１の基板１と第２の基板２との間にスペーサー３と接着剤６とを設け、パネルを形成している。第１の基板１と第２の基板２とのパネル内側の表面にはそれぞれ第１の基板の電極１１と第２の基板の電極１２とをストライプ状に設け、互いに直交する様に配置している。また図示しないが、第１の基板１と第２の基板２とのパネル内側の表面には更に配向膜を設け、パネル内の図示しない液晶の配向の制御を行っている。第１の基板の電極１１と第２の基板の電極１２とが重なる部分が、電圧の印加によって液晶が駆動される画素１３であり、それ以外の部分が非画素領域である。任意の第１の基板の電極１１と任意の第２の電極１２との間に電圧を印加する事により、任意の画素１３の液晶に電圧を印加する事が出来る。液晶の駆動が行われる画素１３を避け、液晶の駆動が行われない非画素領域に選択的にスペーサー３を設けている。
【００１１】
上記ではパッシブマトリックス型の場合について説明したが、アクティブマトリックス型の場合についても、配線方法や能動素子の形成等の違いがあるが、同様に画素と画素との間の非画素領域にスペーサーを設ける事が行われる。
【００１２】
更に、パネルのセルギャップの均一性を高めるために、スペーサーを非画素領域に配置すると共に、例えばｘ方向には画素１つおきにスペーサーを設け、ｘ方向と直交するｙ方向には画素５つおきにスペーサーを設けて、近くのスペーサー間を結ぶ線がなるべく正三角形に近い形となる様に周期的に配置する方法が特許文献１に開示されている。しかし、この方法の場合には、画素を避けて非画素領域のみにスペーサーを設ける事から、近くのスペーサー間を結ぶ線によって形成される形状は略正三角形とはある程度異なる。また、スペーサー間の距離を任意の大きさにする事が出来ず、スペーサーの配置を近くのスペーサー間を結ぶ線によって形成される形状が正三角形に近い形状となる様に維持しつつ、スペーサー間の距離を短くする事が難しい。
【００１３】
液晶パネルについては、画素及び非画素領域の形状や配置の仕方によって、マトリックス型とセグメント型とに区別される事が知られている。マトリックス型のパネルでは、同一形状の画素を並べるように配置するのに対して、セグメント型のパネルでは、用途に合わせて種々の形状の画素をパネル内に配置する。また、マトリックス型のパネルでは、通常、画素と画素との間に位置する非画素領域が画素に比べて大幅に小さいのに対して、セグメント型のパネルでは、画素と画素との間を大きく空けて大きな非画素を設ける事も多い。表示装置に用いるセグメント型のパネルの場合には、１つの画素が視認可能な程度に大きい事が多く、画素間の非画素領域を表示画像の背景として利用する事もある。
【００１４】
【特許文献１】特開２００１−２２２０００号公報（第９−１０頁、第３図）
【発明の開示】
【発明が解決しようとする課題】
【００１５】
本発明が解決しようとする課題は、出来るだけ少ない数のスペーサーを用いて液晶パネルのセルギャップの均一性や外力に対する耐性を高めると共に、表示品質を良好とし、パネルの製造にかかる費用を低く抑え、低価格で高品質な液晶パネルの提供を実現する事である。
【課題を解決するための手段】
【００１６】
上記課題を解決するため、一対の基板間に少なくとも一つの画素と複数のスペーサーとを備えた液晶パネルであって、各々の前記スペーサーは、一辺の長さが距離ｄである略正三角形における頂点の位置に設けられ、一つの画素内に、スペーサーが複数個配置されていることを特徴とする。また、画素はセグメント型であることを特徴とする。画素は複数個あり、基板上にマトリックス型に配置ていることを特徴とする。
【００１７】
また、スペーサーの大きさが２０ｕｍ四方以下であることを特徴とする。また、距離ｄが２００ｕｍ以下であることを特徴とする。また、液晶が強誘電性を示す液晶であることを特徴とする。また、基板が可撓性を有することを特徴とする。
【発明の効果】
【００１８】
本発明のスペーサーの配置を採用する事により、高いパネルのセルギャップの均一性と外力に対する耐性とを少ない数のスペーサーを用いて得る事が出来る。本発明によればスペーサー間の距離を短くする事により、パネルのセルギャップの均一性や外力に対する耐性を向上させる事が出来るため、例えばパネルの外力に対する耐性が重要な強誘電性を示す液晶を用いる液晶パネルや基板の剛性が低い厚みの薄い基板や可撓性を有する基板を用いる液晶パネルに対し特に好適である。
【００１９】
また、本発明によれば製造過程において、スペーサーを非画素領域のみに必ず配置するという必要がないので、例えばフォトマスクと基板とのアライメント等の工程が不要であるため、例えばアライメント機構の省略による露光装置等の製造装置の低価格化や製造工程の削減に伴うタクトタイムの短縮等によってパネルの製造に必要な費用の低減が実現出来る。
【００２０】
この様に、本発明を実施する事により、従来よりも少ない数のスペーサーを用いてパネルのセルギャップの均一性と外力に対する耐性とを向上させると共に製造コストを削減し、低価格で高品質な液晶パネルの提供が実現可能となる。
【発明を実施するための最良の形態】
【００２１】
以下、本発明を実施するための最良の形態について、図１から図３を参照しながら説明する。本発明の一実施の形態について図１を参照しながら説明する。図１は、本発明の一実施の形態を模式的に描いた概略平面図である。
【００２２】
図示しない基板上に複数のスペーサー３を設けている。スペーサー３については、最も近いスペーサーとスペーサーとの間が距離ｄだけ離れる様に等間隔に設けていて、あるスペーサーｘに最も近いスペーサーの内の１つをスペーサーｙとし、スペーサーｘとスペーサーｙとの両方に最も近いスペーサーの内の１つをスペーサーｚとした場合に、スペーサーｘとスペーサーｙとの間を結ぶ線と、スペーサーｘとスペーサーｚとの間を結ぶ線との間の角度θが略６０度となる様に配置している。つまり、各々のスペーサーは、一辺の長さが距離ｄである略正三角形における頂点の位置に設けられている。
【００２３】
なお、ここでスペーサーｙとスペーサーｚとの間にも線を結ぶと、スペーサー間の距離
が距離ｄで等しい事から、いずれの線と線との間の角度も略６０度となり、これら３つの線によって略正三角形が形成される。すなわち、本発明の実施の形態では、互いに最も近い３つのスペーサーが略正三角形の頂点に位置する様にスペーサーを配置している。
【００２４】
続いて、本発明の一実施の形態と従来技術との比較を図２と図３とを参照しながら説明する。図２は本発明のスペーサーの配置を模式的に描いた概略平面図、図３は従来技術のスペーサーの配置を模式的に描いた概略平面図である。
【００２５】
図２に示す通り、図示しない基板上に複数のスペーサー３を設けている。スペーサー３については、最も近いスペーサーとスペーサーとの間が距離ｄ１だけ離れる様に等間隔に設けていて、あるスペーサーｘに最も近いスペーサーの内の１つをスペーサーｙとし、スペーサーｘとスペーサーｙとの両方に最も近いスペーサーの内の１つをスペーサーｚとした場合に、スペーサーｘとスペーサーｙとの間を結ぶ線と、スペーサーｘとスペーサーｚとの間を結ぶ線との間の角度θ１が略６０度となる様に配置している。つまり、各々のスペーサーは、一辺の長さが距離ｄ１である略正三角形における頂点の位置に設けられている。
【００２６】
図３に示す通り、図示しない基板上に複数のスペーサー３を設けている。スペーサー３については、最も近いスペーサーとスペーサーとの間が距離ｄ２だけ離れる様に等間隔に設けていて、あるスペーサーｘに最も近いスペーサーの内の１つをスペーサーｙとし、スペーサーｘに最も近いスペーサーの内の別の１つをスペーサーｚとした場合に、スペーサーｘとスペーサーｙとの間を結ぶ線と、スペーサーｘとスペーサーｚとの間を結ぶ線との間の角度が略９０度または略１８０度となる様に配置している。
【００２７】
通常ではスペーサーの変形よりも基板のたわみ変形の方が容易に起こると考えられる。基板のたわみ変形はスペーサーから遠く離れるに従って大きくなると考えられるため、スペーサーから最も遠い地点において、基板がたわむ事によって生じるセルギャップの変動量も最大になると考えられる。
【００２８】
図２に示す本発明の実施の形態では、地点ｐ１において最も近くにあるスペーサーからの距離が最大となり、地点ｐ１から最も近いスペーサーまでは距離Ｌ１だけ離れている。
【００２９】
図３に示す従来技術では、地点ｐ２において最も近くにあるスペーサーからの距離が最大となり、地点ｐ２から最も近いスペーサーまでは距離Ｌ２だけ離れている。
【００３０】
一方で、スペーサー間の距離並びに基板上のスペーサーの数については、これらの距離Ｌ１、Ｌ２を用いて次の様に計算する事が出来る。図２に示す本発明の実施の形態では、あるスペーサーから最も近いスペーサーへと向かう方向の１つを基準方向とし、その方向と平行な方向のスペーサー間の距離をａ１、その方向と直交する方向のスペーサー間の距離をｂ１とすると、これらａ１、ｂ１の大きさは以下の式で計算される。
【００３１】
ａ１＝２×Ｌ１×cos（３０°）≒１．７３×Ｌ１
ｂ１＝Ｌ１＋Ｌ１×sin（３０°）＝Ｌ１×（１＋sin（３０°））＝１．５×Ｌ１
【００３２】
また、ある大きさの面積Ａに設けられるスペーサーの数はＡ／（ａ１×ｂ１）個である。
【００３３】
図３に示す従来技術では、同様に、あるスペーサーから最も近いスペーサーへと向かう方向の１つを基準方向とし、その方向と平行な方向のスペーサー間の距離をａ２、その方向と直交する方向のスペーサー間の距離をｂ２とすると、これらａ２、ｂ２の大きさは以
下の式で計算される。
【００３４】
ａ２＝ｂ２＝ｄ２＝２×Ｌ２×cos（４５°）＝２×Ｌ２×sin（４５°）≒１．４１×Ｌ２
【００３５】
また、ある大きさの面積Ａに設けられるスペーサーの数はＡ／（ａ２×ｂ２）個である。
【００３６】
先述の通り、セルギャップの変動はスペーサーからの距離に依存すると考えられる事から、パネルのセルギャップ均一性や外力に対する耐性は、スペーサーから最も遠い地点までの距離であるＬ１やＬ２に大きく依存するものと考えられる。本発明の実施の形態と従来技術とのスペーサー間の距離ａ１、ｂ１、ａ２、ｂ２について、スペーサーから最も離れた地点までの距離Ｌ１、Ｌ２が同じ場合について比較すると、Ｌ１＝Ｌ２として先述の式を用いて計算し、ｂ１＞ａ１＞ａ２＝ｂ２の関係が導かれる。このため、本発明の実施の形態の方が従来技術に比べてスペーサー間の距離が大きい。
【００３７】
次に、ある同じ大きさの面積Ａに設けられるスペーサーの数について比較すると、ある面積Ａに配置されるスペーサーの数はそれぞれ（Ａ／（ａ１×ｂ１））と（Ａ／（ａ２×ｂ２））とで表される事から、本発明の実施の形態の方が従来技術に比べてスペーサーの数が少ない。また、その割合については、１−（Ａ／（ａ１×ｂ１））／（Ａ／（ａ２×ｂ２））の式により計算し、本発明の実施の形態の方が従来技術と比較して２３．４％程度スペーサーの数が少ない。
【００３８】
本発明では、スペーサーを画素、非画素領域を問わず配置する。このため、画素の大きさにとらわれず、スペーサー間の距離を任意の大きさにして、スペーサーを略正三角形の頂点の位置に配置する事が出来る。スペーサー間の距離を短くする事により、パネルのセルギャップ均一性や外力に対する耐性の向上を図る事が出来るため、例えばパネルの外力に対する耐性が重要な強誘電性を示す液晶を用いる液晶パネルや基板の剛性が低い厚みの薄い基板や可撓性を有する基板を用いる液晶パネルの場合に特に有効である。
【００３９】
一方、画素にもスペーサーを配置するため、光学特性の低下を避けるためには基板上に設けるスペーサーの数を出来るだけ少なく出来る事が重要である。本発明によれば、同程度のセルギャップ均一性と外力に対する耐性とを従来技術に比べて少ない数のスペーサーを用いて実現出来るため、スペーサーによる光学特性への悪影響を従来技術に比べて小さく抑える事が出来る。先述の通り、そのスペーサーの数を減少させる事が出来る割合は２３．４％程度と計算される。
【００４０】
実際には、スペーサーの大きさが２０ｕｍ四方以下であれば、目視によってスペーサーの存在に気付く事はかなり難しく、スペーサーの大きさが１０ｕｍ四方以下の場合には、スペーサーの目視による観察は非常に困難である。なお、ここでスペーサーの大きさとはスペーサーを基板に垂直に投影した際の面積の事とする。
【００４１】
また、本発明では基板上の位置にこだわらずスペーサーを形成するため、従来技術の様にスペーサーを非画素領域に選択的に配置する場合に必要な例えばフォトマスクと基板とのアライメント等が不要である。このため、例えばアライメント機構の省略による露光装置等の製造装置の低価格化や製造工程の削減に伴うタクトタイムの短縮等によって製造コストの低減が実現出来る。また、スペーサー形成用のフォトマスクを画素や非画素領域の配置に合わせて逐一製作する必要がないため、例えば１枚のスペーサー形成用のフォトマスクを用いて電極の配置が異なる複数種の液晶パネルの製作に対応する事が出来、フォトマスクの製作にかかる費用を大幅に削減する事が可能となる。
【００４２】
少ない数のスペーサーでパネルのセルギャップ均一性や外力に対する耐性の向上を図れる事と製造コストの低減が図れる事とは、セグメント型のパネルの場合に特に有効である。セグメント型のパネルでは、通常、画素が大きい事が多く、非画素領域にスペーサーを設けるだけでは、十分なセルギャップ均一性や外力に対する耐性を得る事が難しい。また、セグメント型のパネルでは、非画素領域が表示領域の一部を構成する事も多く、この場合非画素領域の光学特性も画素の光学特性と同様に重要である。また、セグメント型のパネルの場合には、特に低価格である事への要望が大きい。
【００４３】
なお、スペーサー間の距離を短くする場合には、パネル内に設けるスペーサーの数が増える事により、パネル内の液晶材料の体積に対するスペーサーの体積の比率が高まり、例えば熱膨張率の違い等に起因する問題の生じる可能性が高まる事も考えられるため、スペーサー間の距離を短くするのに合わせて各スペーサーの大きさを小さくすると良い。例えば、スペーサー間の距離を１００ｕｍからその１／２の大きさの５０ｕｍへと変更する場合には、パネル内に設けるスペーサーの数が４倍になるため、その分、１つのスペーサーの体積を１／４の大きさにするため、スペーサーの幅や奥行きについても例えば１０ｕｍからその１／２の大きさの５ｕｍへと変更すると良い。
【００４４】
スペーサーを形成した基板と対向する基板との間に液晶と接着剤とを設け、両基板を接着する事により液晶パネルが完成する。パネル内に液晶を設ける方法については、例えば公知の真空注入法や最近普及が進んでいる液晶滴下工法を用いる事が出来る。また、スペーサーについては一方の基板だけでなく両基板に設ける様にしても良い。駆動モードに合わせて電極や配向膜、偏光板等を設ける事により、液晶装置用の液晶パネルとして用いる事が出来る。
【実施例１】
【００４５】
電極の形状がセグメント型である本発明の液晶パネルについて、図４を参照しながら説明する。図４は画素の形状がセグメント型のパネルの一部分を模式的に描いた概略平面図である。
【００４６】
図４に示す通り、第１の基板１に第１の基板の電極１１と第１の基板の配線２１とを設け、第１の基板１と第１の基板の電極１１と第１の基板の配線２１との上にスペーサー３を設けている。図示しないが、第１の基板１と対向する様に第２の基板を配置し、第１の基板１と第２の基板との間に接着剤を設け、パネルを形成している。また図示しないが、第１の基板１と第２の基板２とのパネル内側の表面には更に配向膜を設け、パネル内の図示しない液晶の配向の制御を行っている。
【００４７】
第１の基板の電極１１については、「８」の字を表示する事が可能となる様な7つの電極を設けていて、それぞれの電極とパネル外部の電源とを接続するために第１の基板の配線２１を設けている。図示しないが、第２の基板のパネル内側表面には第１の基板の電極１１との間に電圧を印加する事が可能となる様に電極を設けている。第１の基板の電極１１の一つ一つを画素とし、画素が配置されている領域が画素領域、その他が非画素領域である。
【００４８】
スペーサー３については、画素領域、非画素領域を問わず、最も近いスペーサーとスペーサーとの間が、任意の距離だけ離れる様に等間隔に設けていて、図示しないが、あるスペーサーｘに最も近いスペーサーの内の１つをスペーサーｙとし、スペーサーｘとスペーサーｙとの両方に最も近いスペーサーの内の１つをスペーサーｚとした場合に、スペーサーｘとスペーサーｙとの間を結ぶ線と、スペーサーｘとスペーサーｚとの間を結ぶ線との間の角度が略６０度となる様に配置している。つまり、各々のスペーサーは、一辺の長さ
が任意の距離とする略正三角形における頂点の位置に設けられている。
【００４９】
次に製造方法について詳しく説明する。最初に第１の基板と第２の基板として透明電極の膜が設けられたガラス板を用意し、フォトリソグラフィーの工法を用いて、公知の数字を表示するためのセグメント型の電極１１パターンが設けられる様に透明電極を加工した。ガラス板には長さが１５ｃｍ、幅が１５ｃｍ、厚みが０．５ｍｍ程度の無アルカリガラスの板を用いた。透明電極には材質がＩＴＯ（Ｉｎｄｉｕｍ  Ｔｉｎ  Ｏｘｉｄｅ）でシート抵抗値が１０Ω程度のものを用いた。
【００５０】
次に、第１の基板上にスピンナーを用いてスペーサー用フォトレジストの膜を設けた後、プリベーク、露光、現像、ポストベークを行い、１．７μｍ程度の高さのスペーサー３を第１の基板上に形成した。フォトレジストにはチッソ株式会社製ＰＭＡ−１８２Ｐ−００１を、現像液には同じくチッソ株式会社製のＤＥＶＥＬＯＰＥＲ  ＣＦＰ−Ｄ−１０２を用いた。
【００５１】
露光の際には、フォトマスクの略全域に１０ｕｍ角の大きさのスペーサー形成用パターンを５０ｕｍ間隔で描いたスペーサー形成用のフォトマスクを用いた。このフォトマスクでは、互いに最も近い３つのスペーサー形成用パターンについて、スペーサー形成用パターン間を結ぶ３本の想像線によって想像上の略正三角形が作られる様にパターンを設けている。露光工程では、フォトマスクと基板とのアライメントは行わずに露光作業を行った。
【００５２】
その後、蒸着装置を用いてＳｉＯ（Ｓｉｌｉｃｏｎ  Ｏｘｉｄｅ）の斜方蒸着を８５°程度の蒸着角で行い、第１の基板と第２の基板との透明電極を設けている面に配向膜を設けた。次に、第２の基板上にスクリーン印刷機と印刷版とを用いてシール剤を設けた後、第２の基板と第１の基板とを重ね合わせて他方基板配置工程を行った。その際、第１の基板の配向膜を設けた面と第２の基板の配向膜を設けた面とが向き合う様に配置した。シール剤については、注入口となる部分を除いてパネルの外壁となる様に第２の基板上に設けた。
【００５３】
その後、重ね合わせた第１の基板と第２の基板をエアバッグの中に設置し、第１の基板と第２の基板とが近づく様に１ｋｇｆ／ｃｍ２程度の圧力をかけた。この様に圧力をかけることによって、第１の基板と第２の基板との間の距離はスペーサーの高さとほぼ同程度となる。また、第１の基板と第２の基板とがシール剤を介して接着する。この状態でエアバッグを炉に投入し、１３０℃の雰囲気の中で３時間の焼成を行った。この焼成により、シール剤が硬化し、第１の基板と第２の基板とがスペーサーの高さとほぼ同じ距離で固定された。
【００５４】
最後に、パネルが適当な大きさとなる様に、また電極を通電可能とするため電極の一部が露出する様に、スクライブ装置とブレイク装置とを用いて第１の基板と第２の基板とをカットしてパネルを完成させた。
【００５５】
製作したパネルにメモリ性を示す強誘電性液晶のクラリアントジャパン株式会社製ＦＥＬＩＸ−５０１を真空注入法によりパネル内に注入し、最後に封口剤を用いて注入口を封口した。パネルを炉の中に入れ１００℃の雰囲気の中で３０分加熱し、液晶を一旦等方性液体の相にした後、炉から取り出して液晶をスメクチック相に戻した。
【００５６】
第１の基板の電極と第２の基板の電極との間に電圧を印加して電極間の液晶を駆動しつつ、偏光方向が直交する様に配置した２枚の偏光板の間にパネルを置いて観察を行った。スペーサー間の距離が５０ｕｍと短いが、良好な配向特性が得られていた。また、スペー
サーは目視では全く観察出来なかった。パネルを指で押した所、液晶の配向の破壊は観察出来ず、非常に高品質な液晶パネルを得る事が出来た。
【００５７】
なお、上記の説明では省略したが、基板を清浄な状態に保つため、パネルの製作にあたっては適宜洗浄剤や純水、超音波を用いて基板の洗浄を行った。
【実施例２】
【００５８】
次に電極をマトリックス型配置としたパネルの実施例について、図５を参照しながら説明する。図５は電極の配置がマトリックス型のパネルの一部分を模式的に描いた概略平面図である。
【００５９】
第１の基板１と第２の基板２との間にスペーサー３と接着剤６とを設け、パネルを形成している。第１の基板１と第２の基板２とのパネル内側の表面にはそれぞれ第１の基板の電極１１と第２の基板の電極１２とをストライプ状に設け、互いに直交する様に配置している。また図示しないが、第１の基板１と第２の基板２とのパネル内側の表面には更に配向膜を設け、パネル内の図示しない液晶の配向の制御を行っている。第１の基板の電極１１と第２の基板の電極１２とが重なる部分が、電圧の印加によって液晶が駆動される画素であり、それ以外の部分が非画素領域である。任意の第１の基板の電極１１と任意の第２の電極１２との間に電圧を印加する事により、任意の画素１３の液晶に電圧を印加する事が出来る。
【００６０】
スペーサー３については、画素領域、非画素領域を問わず、最も近いスペーサーとスペーサーとの間が等しい距離離れる様に等間隔に設けていて、図示しないが、あるスペーサーｘに最も近いスペーサーの内の１つをスペーサーｙとし、スペーサーｘとスペーサーｙとの両方に最も近いスペーサーの内の１つをスペーサーｚとした場合に、スペーサーｘとスペーサーｙとの間を結ぶ線と、スペーサーｘとスペーサーｚとの間を結ぶ線との間の角度が略６０度となる様に配置している。つまり、各々のスペーサーは、一辺の長さが任意の距離とする略正三角形における頂点の位置に設けられている。
【００６１】
製造方法については、電極の形状以外は実施例１と同じ工程、同じ材料を用いた。実施例１と同様にスペーサーは目視では全く観察出来なかった。パネルを指で押した所、液晶の配向の破壊は観察出来ず、非常に高品質な液晶パネルを得る事が出来た。
【００６２】
上記実施例では、スペーサーについてフォトリソ技術を用いて作成したが、所望する箇所に形成できれば、フォトリソ技術に限定しない。例えば印刷方法や、転写方法などを用いても良い。
【００６３】
また、上記実施例ではセグメント型の電極又はマトリックス型の電極を用いて液晶を駆動する液晶パネルについて説明をしたが、例えば光書き込み方式や熱書き込み方式の液晶パネルについても同様に本発明のスペーサーの配置を適用する事が可能である。
【図面の簡単な説明】
【００６４】
【図１】本発明の実施の形態を示す平面図である。
【図２】本発明の実施の形態を示す平面図である。
【図３】従来技術を示す平面図である。
【図４】本発明の実施例を示す平面図である。
【図５】本発明の実施例を示す平面図である。
【図６】ボールスペーサーを用いる従来技術のパネルを示す断面図である。
【図７】フォトスペーサーを用いる従来技術のパネルを示す平面図である。
【符号の説明】
【００６５】
１  第１の基板
２  第２の基板
３  スペーサー
６  接着剤
７  ボールスペーサー
１１  第１の基板の電極
１２  第２の基板の電極
１３  画素
２１  第１の基板の配線
【図１】
2008076927.tif 000003
【図２】
2008076927.tif 000004
【図３】
2008076927.tif 000005
【図４】
2008076927.tif 000006
【図５】
2008076927.tif 000007
【図６】
2008076927.tif 000008
【図７】
2008076927.tif 000009